(57)【要約】【課題】  安定した製品品質が得られ、製造工程を短縮し、安価に製造可能な押し当て式コネクタの提供。【解決手段】  ピン型コンタクト１３と、コネクタハウジング１１と、平板状に形成されたターミナル本体と、コンタクト本体部の接触ピンとは反対側の端部に接続されるターミナル接続部とを一体に有するターミナル１４，１５とを備えた押し当て式コネクタ１０において、  ターミナル接続部２６，３４を一対のコンタクト挟持片をもって二股フォーク状に形成し、ターミナル１４，１５をコネクタハウジング１１に固定すると同時にコンタクト挟持片の間にコンタクト接続部が挟持されるようにした。【選択図】  図１
2005150050.tif 000002
【特許請求の範囲】
【請求項１】
筒状のコンタクト本体部と、該コンタクト本体部の一方の端部よりスプリングに付勢されて出入り可能に突出した接触ピンとを有するピン型コンタクトと、
該ピン型コンタクトが前記接触ピンを相手側端面より突出させた状態に収容されるコンタクト収容孔を有するコネクタハウジングと、
平板状に形成されたターミナル本体と、該ターミナル本体の縁部より折り曲げられ、前記コンタクト本体部の接触ピンとは反対側の端部に形成されたコンタクト接続部に接続されるターミナル接続部とを一体に有するターミナルとを備えた押し当て式コネクタにおいて、
前記ターミナル接続部を一対のコンタクト挟持片をもって二股フォーク状に形成し、前記ターミナルをコネクタハウジングに固定すると同時に前記コンタクト挟持片の間に前記コンタクト接続部が挟持されるようにしたことを特徴としてなる押し当て式コネクタ。
【請求項２】
コネクタハウジングは、ピン型コンタクトが収容されるコンタクト収容孔と交差し、ターミナルのターミナル接触部が挿入される接続部圧入用窓を備えた請求項１に記載の押し当て式コネクタ。
【請求項３】
コンタクト接続部は、コンタクト本体部の端部より突出した小径部と、該小径部の先端部に小径部より径の大きな抜止頭部とを備え、コンタクト挟持片は、前記コンタクト本体部の端面と、前記抜止頭部との間に弾性的に嵌り込む弾性接触部を備えた請求項１又は２に記載の押し当て式コネクタ。
【発明の詳細な説明】
【技術分野】
【０００１】
本発明は、ポータブルオーディオ機器のバッテリー用コネクタ等として用いられる押し当て式コネクタに関する。
【背景技術】
【０００２】
従来、ポータブルオーディオ機器のバッテリー用コネクタには、図７に示す如き押し当て式コネクタが使用されている。
【０００３】
この押し当て式コネクタ１は、絶縁材からなるコネクタハウジング２内に、一方の端部より接触ピン３がスプリングに付勢されて突出したピン型コンタクト４をコネクタハウジング２の相手側端面より接触ピン３を突出させた状態で収容し、ピン型コンタクト４の接触ピン３とは反対側の端部に形成されたコンタクト接続部４ａに接続されたターミナル接続部を有するターミナル５の端子部６をプリント配線基板等に接続させることにより、接触ピンに弾性的に押し付けられた相手側電子機器の端子部が押し当て式コネクタ１を介してプリント配線基板に接続されるようになっている。
【０００４】
この押し当て式コネクタ１を組み立てるには、ピン型コンタクト４をコネクタハウジング２に挿入し、ターミナル５のターミナル接続部７に形成された挿通孔７ａにコンタクト接続部４ａを通した状態でターミナル５をコネクタハウジング２に固定し、その後、図８に示すように、コンタクト接続部４ａとターミナル接続部７とを冷間カシメやはんだ８付け等によって接続するようになっている。
【発明の開示】
【発明が解決しようとする課題】
【０００５】
しかし、上述の如き従来の技術では、ターミナルをコネクタハウジングに取り付ける作業、ピン型コンタクトとターミナルとを冷間カシメ又ははんだ付けにより接続させる作業とを別々に行うため、製造における工程数が多くなり、製造に時間が掛かりコストが嵩むという問題があった。
【０００６】
また、ピン型コンタクトとターミナルとの接続をはんだ付けにより行う場合には、はんだ付け作業を手作業で行う場合、各作業者の技量によって製品の品質にばらつきが生じ、歩留まりが悪くなるという問題もある。
【０００７】
そこで本発明は、上述の従来技術の問題を鑑み、安定した製品品質が得られ、製造工程を短縮し、安価に製造可能な押し当て式コネクタの提供を目的とする。
【課題を解決するための手段】
【０００８】
上述の如き従来の問題を解決し、所期の目的を達成するための請求項１に記載の発明は、筒状のコンタクト本体部と、該コンタクト本体部の一方の端部よりスプリングに付勢されて出入り可能に突出した接触ピンとを有するピン型コンタクトと、
該ピン型コンタクトが前記接触ピンを相手側端面より突出させた状態に収容されるコンタクト収容孔を有するコネクタハウジングと、
平板状に形成されたターミナル本体と、該ターミナル本体の縁部より折り曲げられ、前記コンタクト本体部の接触ピンとは反対側の端部に形成されたコンタクト接続部に接続されるターミナル接続部とを一体に有するターミナルとを備えた押し当て式コネクタにおいて、
前記ターミナル接続部を一対のコンタクト挟持片をもって二股フォーク状に形成し、前記ターミナルをコネクタハウジングに固定すると同時に前記コンタクト挟持片の間に前記コンタクト接続部が挟持されるようにした押し当て式コネクタであることを特徴する。
【０００９】
請求項２に記載の発明は、請求項１の構成に加え、コネクタハウジングは、ピン型コンタクトが収容されるコンタクト収容孔と交差し、ターミナルのターミナル接触部が挿入される接続部圧入用窓を備えたことを特徴とする。
【００１０】
請求項３に記載の発明は、請求項１又は２の構成に加え、コンタクト接続部は、コンタクト本体部の端部より突出した小径部と、該小径部の先端部に小径部より径の大きな抜止頭部とを備え、コンタクト挟持片は、前記コンタクト本体部の端面と、前記抜止頭部との間に弾性的に嵌り込む弾性接触部を備えたことを特徴とする。
【発明の効果】
【００１１】
本発明に係る押し当て式コネクタは、ターミナルをコネクタハウジングに固定する作業、ピン型コンタクトとターミナルとを接続する作業とを同時に一つの工程で行うことができ、少ない工程で組立て作業を効率よく行うことができコストを削減することができる。
【００１２】
また、組立作業におけるはんだ付け作業を排除し、作業者の技能差による製品品質のばらつきを防いで歩留まりを向上させ、品質の向上及びコストダウンを実現することができる。
【００１３】
また、接続部圧入用窓を備えたことによって、コンタクトとターミナルとの接続部を好適に保護し、コンタクトとターミナルとが外れ難く安定した接続状態を得ることができる。
【００１４】
コンタクト挟持片がコンタクト本体部の端面と、抜止頭部との間にコンタクトの軸方向と直交する方向に挿入され、弾性的に嵌り込む弾性接触部を備えたことによって、コンタクトとターミナルとの間に安定した接続状態を得ることができるとともに、ピン型コンタクトの軸方向の移動、即ちコンタクト収容孔内での軸方向のがたつきを防止するとともに、ピン型コンタクトをコンタクト収容孔内で適当な位置に位置決めすることができる。
【発明を実施するための最良の形態】
【００１５】
次に、本発明に係る押し当て式コネクタに関し、図１〜図６について説明する。
【００１６】
この押し当て式コネクタ１０は、絶縁材からなるコネクタハウジング１１と、コネクタハウジング１１の相手側端面１１ａより接触ピン１２を突出させた状態で収容されたピン型コンタクト１３と、ピン型コンタクト１３の一端に接続されたターミナル１４、１５とを備え、例えばバッテリー等の相手側電子機器の端子部を、コネクタハウジングの相手側端面１１ａより突出したピン型コンタクト１３の接触ピン１２に押し当てることによって、ターミナル１４，１５の端子部が接続されたプリント配線基板等に相手側電子機器を電気的に接続するようになっている。
【００１７】
コネクタハウジング１１は、図２に示すように、合成樹脂等の絶縁材料により直方体状に形成されている。
【００１８】
このコネクタハウジング１１には、ピン型コンタクト１３が挿入されるコンタクト収容孔１６，１６が、相手側端面１１ａと直交する方向に貫通して形成されている。
【００１９】
また、このコネクタハウジング１１は、相手側とは反対側の端部の上面に開口し、コンタクト収容孔１６と直交する方向に交差して連通する接続部圧入用窓１７が形成されている。
【００２０】
更に、コネクタハウジング１１の上面には、後述するターミナル１４の取付片が圧入される取付用圧入孔１８，１８…が形成されている。
【００２１】
また、コネクタハウジング１１の側面部には、ターミナルの端子部が固定される端子固定凹部１９，１９が形成され、その両内側縁に形成された固定溝１９ａ，１９ａにターミナル１４，１５の端子部の両側縁がそれぞれ嵌り込むようになっている。
【００２２】
ピン型コンタクト１３は、図３に示すように、筒状のコンタクト本体部２０と、コンタクト本体部２０の一方の端部よりスプリング２１により付勢されて出入り自在に突出した接触ピン１２とを備え、接触ピン１２がコンタクト本体部２０に摺動自在且つ導通した状態に支持され先端部を突出させ、この接触ピン１２に相手側電子機器の端子部を押し当てるとスプリング２１に抗してコンタクト本体部２０に押し込まれ、好適な接触圧で接続されるようになっている。
【００２３】
コンタクト本体部２０は、その外周面にコンタクト収容孔１６の内面に食い込み係止される抜止用突起２２が一体に形成され、接触ピン１２と反対側の端部に、ターミナル１４，１５が接続されるコンタクト接続部が形成されている。
【００２４】
このコンタクト接続部は、コンタクト本体部２０の端面２０ａより軸方向に突出した丸棒状の小径部２３と、小径部２３の先端側に一体に形成された小径部２３より径の大きな抜止頭部２４とを備えている。
【００２５】
このピン型コンタクト１３をコネクタハウジング１１のコンタクト収容孔１５に挿入すると、接触ピン１２が相手側端面１１ａより突出するとともに、接続部圧入用窓１７の位置にコンタクト接続部の小径部２３が配置されるように収容される。
【００２６】
ターミナル１４は、図４に示すように、平板状のターミナル本体２５と、コネクタハウジング１１の接続部圧入用窓１７に挿入されるターミナル接続部２６と、コネクタハウジングの取付用圧入孔１８に圧入される取付片２７，２７…と、プリント配線基板等に接続される端子部とを備え、折曲加工により一体に形成されている。
【００２７】
ターミナル本体２５は、略Ｌ字形の平板状に形成され、一方の端部、即ちＬ字の短辺側端縁より折り曲げてターミナル接続部２６が一体に形成され、他方の端部、即ちＬ字の長辺側端縁に連続して端子部が一体に形成されている。
【００２８】
また、Ｌ字の短辺外側縁及び長辺端部側縁より折り曲げて取付片２７，２７が一体に形成されている。
【００２９】
ターミナル接続部２６は、それぞれ接続部圧入用窓１７の位置に合わせてターミナル本体２５の縁部より立ち上げた一対のコンタクト挟持片２８，２８をもって二股フォーク状に形成され、この両コンタクト挟持片２８，２８がコンタクト接続部の小径部２３に対し、小径部２３の軸方向と直交する方向に嵌り込むことによって、両コンタクト挟持片２８，２８の間にコンタクト接続部の小径部２３を弾性的に挟持するようになっている。
【００３０】
コンタクト挟持片２８は、中央部にピン型コンタクト１３の軸方向に対し盛り上がった形状の弾性接触部２９を備え、この弾性接触部２９が、コンタクト接続部の抜止頭部２４とコンタクト本体部端面２０ａとの間に撓みながら嵌り込み、その弾性接触部２９の頂部を抜止頭部２４内面に弾性接触部２９の基端側をコンタクト本体部端面２０ａにそれぞれ弾性的に当接させるようになっている。
【００３１】
このように弾性接触部２８が、コンタクト接続部の抜止頭部２４とコンタクト本体部端面２０ａとの間に軸方向で弾性的に嵌り込むことによって、ターミナル接続部２６に対しピン型コンタクト１３のコンタクト接続部がロックされ、ピン型コンタクト１３の軸方向の移動、即ちコンタクト収容孔１７内での軸方向のがたつきを防止するとともに、ピン型コンタクト１３をコンタクト収容孔１６内で適当な位置に位置決めするようになっている。
【００３２】
また、このコンタクト挟持片２８，２８は、弾性接触部２９の内側縁、即ち対向する縁部に円形状に切欠いた嵌合部３０が形成され、この嵌合部３０に小径部２３が嵌り込んで両コンタクト挟持片２８，２８に挟持されるようになっている。
【００３３】
端子部は、ターミナル本体２５の一方の端部より折り曲げた取付部３１と、取付部３１の先端を水平方向外向きに折り曲げた接続部３２とを備え、その接続部３２がプリント配線基板の端子パターン等にはんだ付け等により接続されるようになっている。
【００３４】
各取付片２７，２７は、コネクタハウジングの取付用圧入孔１８，１８…の位置に合わせてターミナル本体の縁部より立ち上げられ、その両側部に取付用圧入孔１８の内側面に食い込み係止される係止突起が一体に形成されている。
【００３５】
ターミナル１５は、図５に示すように、平板状のターミナル本体３３と、コネクタハウジング１１の接続部圧入用窓１７に挿入されるターミナル接続部３４と、コネクタハウジングの取付用圧入孔１８，１８に圧入される取付片３５，３５と、プリント配線基板等に接続される端子部とを備え、折曲加工により一体に形成されている。
【００３６】
ターミナル本体３３は、一方の端部の側縁より折り曲げてターミナル接続部３４が一体に形成され、他方の端縁より折り曲げて端子部が一体に形成されている。
【００３７】
また、端子部とは反対側の端縁及び端子部側端部側縁より折り曲げて取付片３５，３５が一体に形成されている。
【００３８】
ターミナル接続部３４は、それぞれ接続部圧入用窓１７の位置に合わせてターミナル本体３３の縁部より折り曲げた一対のコンタクト挟持片３６，３６をもって二股フォーク状に形成され、この両コンタクト挟持片３６，３６がコンタクト接続部の小径部２３に対して直交する方向に嵌り込むことによって、両コンタクト挟持片３６，３６の間にコンタクト接続部の小径部２３を挟持するようになっている。
【００３９】
コンタクト挟持片３６は、中央部にピン型コンタクト１３の軸方向に対し盛り上がった形状の弾性接触部３７を備え、この弾性接触部３７が、コンタクト接続部の抜止頭部２４とコンタクト本体部端面２０ａとの間に嵌り込み、その弾性接触部３７の頂部を抜止頭部２４内面に弾性接触部３７の基端側をコンタクト本体部端面２０ａにそれぞれ弾性的に当接させるようになっている。
【００４０】
このように弾性接触部３７が、コンタクト接続部の抜止頭部２４とコンタクト本体部端面２０ａとの間に軸方向で弾性的に嵌り込むことによって、ターミナル接続部３４に対しピン型コンタクト１３のコンタクト接続部がロックされ、ピン型コンタクト１３の軸方向の移動、即ちコンタクト収容孔１７内での軸方向のがたつきを防止するとともに、ピン型コンタクト１３をコンタクト収容孔１６内で適当な位置に位置決めするようになっている。
【００４１】
また、このコンタクト挟持片３６，３６は、弾性接触部３７の内側縁、即ち対向する縁部に円形状に切欠いた嵌合部３８が形成され、その嵌合部３８に小径部２３が嵌り込んで両コンタクト挟持片３６，３６に挟持されるようになっている。
【００４２】
端子部は、ターミナル本体３３の一方の端部より折り曲げた取付部３９と、取付部３９の先端を水平方向外向きに折り曲げた接続部４０とを備え、その接続部４０がプリント配線基板の端子パターン等にはんだ付け等により接続されるようになっている。
【００４３】
各取付片３５，３５は、コネクタハウジング１１の取付用圧入孔１８の位置に合わせてターミナル本体３３の縁部より折り曲げて、その両側部に取付用圧入孔１８の内側面に食い込み係止される係止突起が一体に形成されている。
【００４４】
ターミナル１４（１５）は、各取付片２７（３５）を取付用圧入孔１８，１８…に圧入すると、コネクタハウジング１１の上面に固定され、それと同時にターミナル接続部２６（３４）が接続部圧入用窓１７に圧入されるようになっている。
【００４５】
このとき、ターミナル接続部２６（３４）は、図６に示すように、コンタクト接続部の小径部２３の外面によりコンタクト挟持片２８（３６）が外側に押し広げられながら圧入され、嵌合部３０（３８）に小径部２３が嵌り込み、両コンタクト挟持片２８，２８（３６，３６）間にコンタクト接続部の小径部２３を弾性的に挟持するとともに、両コンタクト挟持片２８，２８（３６，３６）の弾性接触部２９（３７）がコンタクト本体部端面２０ａと抜止頭部２４との間に弾性的に嵌り込み、ピン型コンタクト１３とターミナル１４（１５）とが好適な接触圧で接続され、ピン型コンタクト１３がターミナル接続部に対してロックされ、ピン型コンタクト１３の軸方向の移動、即ちコンタクト収容孔１６内での軸方向のがたつきを防止するとともに、ピン型コンタクト１３をコンタクト収容孔１６内で適当な位置に位置決めするようになっている。
【００４６】
また、両コンタクト挟持片２８，２８（３６，３６）の外側縁部がコネクタハウジング１１、即ち接続部圧入用窓１７の内縁に食い込み、ターミナル接続部２６（３４）がコンタクト接続部を挟持した状態でコネクタハウジング１１内にピン型コンタクト１３が固定されるようになっている。
【００４７】
従って、この押し当て式コネクタ１０では、ターミナルの取り付け作業と、ピン型コンタクト１３とターミナルとの接続作業が同時に行え、組立て作業における工程数が少なくなる。
【００４８】
また、この押し当て式コネクタ１０では、ターミナル接続部２６（３４）がコネクタハウジング１１内に収容されて、外部からの力を受けることがなく変形を防止でき、接続不良を防止することができる。
【産業上の利用可能性】
【００４９】
本発明に係る押し当て式コネクタは、ポータブルオーディオ機器や携帯電話機等の電子機器のバッテリー用コネクタやその他電子機器間の接続に適用することができる。
【図面の簡単な説明】
【００５０】
【図１】本発明に係る押し当て式コネクタを示す平面図である。
【図２】（ａ）は図１中のコネクタハウジングを示す正面図、（ｂ）は同平面図、（ｃ）は同背面図である。
【図３】（ａ）はピン型コネクタを示す平面図、（ｂ）は同断面図である。
【図４】（ａ）はターミナルを示す平面図、（ｂ）は同正面図、（ｃ）は同側面図である。
【図５】（ａ）はターミナルを示す平面図、（ｂ）は同正面図、（ｃ）は同側面図である。
【図６】（ａ）（ｂ）はコンタクトとターミナルの接続状態を示す部分破断断面図である。
【図７】従来の押し当て式コネクタの一例を示す分解斜視図である。
【図８】（ａ）（ｂ）はそれぞれ同上のターミナルとコンタクトの接続状態を示す斜視図である。
【符号の説明】
【００５１】
１０  押し当て式コネクタ
１１  コネクタハウジング
１１ａ  相手側端面
１２  接触ピン
１３  ピン型コンタクト
１４，１５  ターミナル
１６  コンタクト収容孔
１７  接続部圧入用窓
１８  取付用圧入孔
１９  端子固定凹部
１９ａ  固定溝
２０  コンタクト本体部
２０ａ  端面
２１  スプリング
２２  抜止用突起
２３  小径部
２４  抜止頭部
２５  ターミナル本体
２６  ターミナル接続部
２７  取付片
２８  コンタクト挟持片
２９  弾性接触部
３０  嵌合部
３１  取付部
３２  接続部
３３  ターミナル本体
３４  ターミナル接続部
３５  取付片
３６  コンタクト挟持片
３７  弾性接触部
３８  嵌合部
３９  取付部
４０  接続部
【図１】
2005150050.tif 000003
【図２】
2005150050.tif 000004
【図３】
2005150050.tif 000005
【図４】
2005150050.tif 000006
【図５】
2005150050.tif 000007
【図６】
2005150050.tif 000008
【図７】
2005150050.tif 000009
【図８】
2005150050.tif 000010